(57)【要約】【課題】画像データの選択による印刷が可能であるも、同じ製版を行なうことによる版の無駄を防止することを可能とする印刷情報装置、印刷システム、印刷装置、印刷情報処理方法及び印刷方法の提供。【解決手段】印刷のために版胴に巻装される版を製版するのに用いられる画像データを蓄積する蓄積手段４１と、版胴に巻装されている版に関連する巻装版情報を生成する版情報生成手段４４と、蓄積手段４１に蓄積されている画像データの一覧を表示する表示手段３９とを有し、表示手段３９は、一覧を表示するときに、版情報生成手段４４によって生成された巻装版情報を、版胴に巻装されている記版に対応させて表示する。【選択図】図１
2008149558.tif 000002
【特許請求の範囲】
【請求項１】
印刷のために版胴に巻装される版を製版するのに用いられる画像データを蓄積する蓄積手段と、
前記版胴に巻装されている前記版に関連する巻装版情報を生成する版情報生成手段と、
前記蓄積手段に蓄積されている前記画像データの一覧を表示する表示手段とを有し、
前記表示手段は、前記一覧を表示するときに、前記版情報生成手段によって生成された前記巻装版情報を、前記版胴に巻装されている前記版に対応させて表示する印刷情報装置。
【請求項２】
請求項１記載の印刷情報装置において、
前記版情報生成手段によって生成された前記巻装版情報を記憶するとともに、前記表示手段が前記一覧を表示するときに、記憶した前記巻装版情報が前記表示手段に出力される版情報記憶手段を有し、
前記版情報記憶手段は、前記版胴に巻装されている前記版に関連する前記巻装版情報のみを記憶することを特徴とする印刷情報装置。
【請求項３】
請求項１又は２記載の印刷情報装置において、
前記巻装版情報は、この巻装版情報が関連する前記版を用いて行われた印刷の枚数、この巻装版情報が関連する前記版の耐刷枚数、この巻装版情報が関連する前記版の製版終了時、この巻装版情報が関連する前記版を用いて行われた至近の印刷時の少なくとも１つを含むことを特徴とする印刷情報装置。
【請求項４】
請求項１ないし３の何れか１つに記載の印刷情報装置と、前記画像データを用いて製版された前記版を前記版胴に巻装して印刷する印刷手段とを有する印刷システム。
【請求項５】
請求項１ないし３の何れか１つに記載の印刷情報装置を有し、
前記画像データを用いて製版された前記版を前記版胴に巻装して印刷する印刷装置。
【請求項６】
印刷のために版胴に巻装される版を製版するのに用いられる画像データを蓄積し、
前記版胴に巻装されている前記版に関連する巻装版情報を生成し、
蓄積されている前記画像データの一覧を表示するときに、前記巻装版情報を、前記版胴に巻装されている前記版に対応させて表示する印刷情報処理方法。
【請求項７】
請求項６記載の印刷情報処理方法において、
前記版胴に巻装されている前記版に関連する前記巻装版情報のみを記憶するとともに、前記一覧を表示するときに記憶した前記巻装版情報を出力して、前記版胴に巻装されている前記版に対応させて表示することを特徴とする印刷情報処理方法。
【請求項８】
請求項６又は７記載の印刷情報処理方法において、
前記巻装版情報は、この巻装版情報が関連する前記版を用いて行われた印刷の枚数、この巻装版情報が関連する前記版の耐刷枚数、この巻装版情報が関連する前記版の製版終了時、この巻装版情報が関連する前記版を用いて行われた至近の印刷時の少なくとも１つを含むことを特徴とする印刷情報処理方法。
【請求項９】
請求項１ないし３の何れか１つに記載の印刷情報装置又は請求項４記載の印刷システム又は請求項５記載の印刷装置又は請求項６ないし８の何れか１つに記載の印刷情報処理方法を用いる印刷方法。
【発明の詳細な説明】
【技術分野】
【０００１】
本発明は、版胴に製版された版を巻装して印刷を行うための印刷情報装置、印刷システム、印刷装置、印刷情報処理方法及び印刷方法に関する。
【背景技術】
【０００２】
従来より、〔特許文献１〕ないし〔特許文献３〕等に記載されているように、マスタ等といわれる版を版胴に巻装して印刷を行う印刷装置を用いた印刷が行われている。また近年では、情報技術の発達に伴って、〔特許文献１〕、〔特許文献２〕等に記載されているように、印刷を行うための画像をデータ化して蓄積することが行なわれるようになっている。
【０００３】
かかる技術は、一度データ化し蓄積した画像については、再度データ化を行なわずとも印刷を行うことができる点で優れている。
【０００４】
このような技術にあっては、〔特許文献１〕にも記載されているように、蓄積した画像データを一覧にして表示し、印刷にあたって、一覧の中から印刷を行う画像を選択することを可能とし、印刷の利用に供することが提案されている。
【０００５】
【特許文献１】特開２００６−１９８９０１号公報
【特許文献２】特開２０００−３１８２８４号公報
【特許文献３】特開２００５−２４６７３０号公報
【発明の開示】
【発明が解決しようとする課題】
【０００６】
しかし、画像データを選択して印刷しようとするとき、選択した画像データと、選択前からすでに版胴に巻装されている版の画像データが同じものである場合、すでに巻装されている版を排版して新たに製版を行なうと、版の無駄となる場合がある。
【０００７】
本発明は、画像データの選択による印刷が可能であるも、同じ製版を行なうことによる版の無駄を防止することを可能とする印刷情報装置、印刷システム、印刷装置、印刷情報処理方法及び印刷方法の提供を目的とする。
【課題を解決するための手段】
【０００８】
上記目的を達成するため、請求項１記載の発明は、印刷のために版胴に巻装される版を製版するのに用いられる画像データを蓄積する蓄積手段と、前記版胴に巻装されている前記版に関連する巻装版情報を生成する版情報生成手段と、前記蓄積手段に蓄積されている前記画像データの一覧を表示する表示手段とを有し、前記表示手段は、前記一覧を表示するときに、前記版情報生成手段によって生成された前記巻装版情報を、前記版胴に巻装されている前記版に対応させて表示する印刷情報装置にある。
【０００９】
請求項２記載の発明は、請求項１記載の印刷情報装置において、前記版情報生成手段によって生成された前記巻装版情報を記憶するとともに、前記表示手段が前記一覧を表示するときに、記憶した前記巻装版情報が前記表示手段に出力される版情報記憶手段を有し、前記版情報記憶手段は、前記版胴に巻装されている前記版に関連する前記巻装版情報のみを記憶することを特徴とする。
【００１０】
請求項３記載の発明は、請求項１又は２記載の印刷情報装置において、前記巻装版情報は、この巻装版情報が関連する前記版を用いて行われた印刷の枚数、この巻装版情報が関連する前記版の耐刷枚数、この巻装版情報が関連する前記版の製版終了時、この巻装版情報が関連する前記版を用いて行われた至近の印刷時の少なくとも１つを含むことを特徴とする。
【００１１】
請求項４記載の発明は、請求項１ないし３の何れか１つに記載の印刷情報装置と、前記画像データを用いて製版された前記版を前記版胴に巻装して印刷する印刷手段とを有する印刷システムにある。
【００１２】
請求項５記載の発明は、請求項１ないし３の何れか１つに記載の印刷情報装置を有し、前記画像データを用いて製版された前記版を前記版胴に巻装して印刷する印刷装置にある。
【００１３】
請求項６記載の発明は、印刷のために版胴に巻装される版を製版するのに用いられる画像データを蓄積し、前記版胴に巻装されている前記版に関連する巻装版情報を生成し、蓄積されている前記画像データの一覧を表示するときに、前記巻装版情報を、前記版胴に巻装されている前記版に対応させて表示する印刷情報処理方法にある。
【００１４】
請求項７記載の発明は、請求項６記載の印刷情報処理方法において、前記版胴に巻装されている前記版に関連する前記巻装版情報のみを記憶するとともに、前記一覧を表示するときに記憶した前記巻装版情報を出力して、前記版胴に巻装されている前記版に対応させて表示することを特徴とする。
【００１５】
請求項８記載の発明は、請求項６又は７記載の印刷情報処理方法において、前記巻装版情報は、この巻装版情報が関連する前記版を用いて行われた印刷の枚数、この巻装版情報が関連する前記版の耐刷枚数、この巻装版情報が関連する前記版の製版終了時、この巻装版情報が関連する前記版を用いて行われた至近の印刷時の少なくとも１つを含むことを特徴とする。
【００１６】
請求項９記載の発明は、請求項１ないし３の何れか１つに記載の印刷情報装置又は請求項４記載の印刷システム又は請求項５記載の印刷装置又は請求項６ないし８の何れか１つに記載の印刷情報処理方法を用いる印刷方法にある。
【発明の効果】
【００１７】
本発明は、印刷のために版胴に巻装される版を製版するのに用いられる画像データを蓄積する蓄積手段と、前記版胴に巻装されている前記版に関連する巻装版情報を生成する版情報生成手段と、前記蓄積手段に蓄積されている前記画像データの一覧を表示する表示手段とを有し、前記表示手段は、前記一覧を表示するときに、前記版情報生成手段によって生成された前記巻装版情報を、前記版胴に巻装されている前記版に対応させて表示する印刷情報装置にあるので、一覧に表示された画像データの選択による印刷を可能としつつも、版胴に巻装されている版に対応した巻装版情報を表示することによって同じ製版を行なうことによる版の無駄を防止することが可能であり、省資源化及びランニングコストの抑制を図ることができるとともに、すでに版胴に巻装されている版を製版する際に用いた画像については、製版が行なわれていることを確認したうえで直ぐに印刷を開始することを可能とすることに寄与するから、ユーザーにとって使用感に優れた印刷情報装置を提供することができる。
【００１８】
前記版情報生成手段によって生成された前記巻装版情報を記憶するとともに、前記表示手段が前記一覧を表示するときに、記憶した前記巻装版情報が前記表示手段に出力される版情報記憶手段を有し、前記版情報記憶手段は、前記版胴に巻装されている前記版に関連する前記巻装版情報のみを記憶することとすれば、一覧に表示された画像データの選択による印刷を可能としつつも、版胴に巻装されている版に対応した、版情報記憶手段に記憶された、版胴に巻装されている版にのみ関連した巻装版情報を表示することによって同じ製版を行なうことによる版の無駄を防止することが可能であり、省資源化及びランニングコストの抑制を図ることができるとともに、すでに版胴に巻装されている版を製版する際に用いた画像については、製版が行なわれていることを確認したうえで直ぐに印刷を開始することを可能とすることに寄与するから、ユーザーにとって使用感に優れた印刷情報装置を提供することができる。
【００１９】
前記巻装版情報は、この巻装版情報が関連する前記版を用いて行われた印刷の枚数、この巻装版情報が関連する前記版の耐刷枚数、この巻装版情報が関連する前記版の製版終了時、この巻装版情報が関連する前記版を用いて行われた至近の印刷時の少なくとも１つを含むこととすれば、一覧に表示された画像データの選択による印刷を可能としつつも、版胴に巻装されている版に対応した巻装版情報を表示することによって同じ製版を行なうことによる版の無駄を防止することが可能であり、省資源化及びランニングコストの抑制を図ることができるとともに、すでに版胴に巻装されている版を製版する際に用いた画像については、製版が行なわれていることを確認したうえで直ぐに印刷を開始することを可能とすることに寄与でき、また、すでに版胴に巻装されている版について、巻装版情報により、版の劣化を考慮して、すでに巻装されている版を用いて印刷を行うか、又はすでに巻装されている版を製版するときに用いた画像データによって製版をしなおして印刷を行うかを決めることを可能とすることに寄与でき、ユーザーにとってさらに使用感に優れた印刷情報装置を提供することができる。
【００２０】
本発明は、上記印刷情報装置と、前記画像データを用いて製版された前記版を前記版胴に巻装して印刷する印刷手段とを有する印刷システムにあるので、一覧に表示された画像データの選択による印刷が可能であるも、版胴に巻装されている版に対応した巻装版情報を表示することによって同じ製版を行なうことによる版の無駄を防止することが可能であり、省資源化及びランニングコストの抑制を図ることができるとともに、すでに版胴に巻装されている版を製版する際に用いた画像については、製版が行なわれていることを確認したうえで直ぐに印刷を開始することが可能であるから、ユーザーにとって使用感に優れた印刷システムを提供することができる。
【００２１】
本発明は、上記印刷情報装置を有し、前記画像データを用いて製版された前記版を前記版胴に巻装して印刷する印刷装置にあるので、一覧に表示された画像データの選択による印刷が可能であるも、版胴に巻装されている版に対応した巻装版情報を表示することによって同じ製版を行なうことによる版の無駄を防止することが可能であり、省資源化及びランニングコストの抑制を図ることができるとともに、すでに版胴に巻装されている版を製版する際に用いた画像については、製版が行なわれていることを確認したうえで直ぐに印刷を開始することが可能であるから、ユーザーにとって使用感に優れた印刷装置を提供することができる。
【００２２】
本発明は、印刷のために版胴に巻装される版を製版するのに用いられる画像データを蓄積し、前記版胴に巻装されている前記版に関連する巻装版情報を生成し、蓄積されている前記画像データの一覧を表示するときに、前記巻装版情報を、前記版胴に巻装されている前記版に対応させて表示する印刷情報処理方法にあるので、一覧に表示された画像データの選択による印刷を可能としつつも、版胴に巻装されている版に対応した巻装版情報を表示することによって同じ製版を行なうことによる版の無駄を防止することが可能であり、省資源化及びランニングコストの抑制を図ることができるとともに、すでに版胴に巻装されている版を製版する際に用いた画像については、製版が行なわれていることを確認したうえで直ぐに印刷を開始することを可能とすることに寄与するから、ユーザーにとって使用感に優れた印刷情報処理方法を提供することができる。
【００２３】
前記版胴に巻装されている前記版に関連する前記巻装版情報のみを記憶するとともに、前記一覧を表示するときに記憶した前記巻装版情報を出力して、前記版胴に巻装されている前記版に対応させて表示することとすれば、一覧に表示された画像データの選択による印刷を可能としつつも、版胴に巻装されている版に対応し、記憶された、版胴に巻装されている版にのみ関連した巻装版情報を表示することによって同じ製版を行なうことによる版の無駄を防止することが可能であり、省資源化及びランニングコストの抑制を図ることができるとともに、すでに版胴に巻装されている版を製版する際に用いた画像については、製版が行なわれていることを確認したうえで直ぐに印刷を開始することを可能とすることに寄与するから、ユーザーにとって使用感に優れた印刷情報処理方法を提供することができる。
【００２４】
前記巻装版情報は、この巻装版情報が関連する前記版を用いて行われた印刷の枚数、この巻装版情報が関連する前記版の耐刷枚数、この巻装版情報が関連する前記版の製版終了時、この巻装版情報が関連する前記版を用いて行われた至近の印刷時の少なくとも１つを含むこととすれば、一覧に表示された画像データの選択による印刷を可能としつつも、版胴に巻装されている版に対応した巻装版情報を表示することによって同じ製版を行なうことによる版の無駄を防止することが可能であり、省資源化及びランニングコストの抑制を図ることができるとともに、すでに版胴に巻装されている版を製版する際に用いた画像については、製版が行なわれていることを確認したうえで直ぐに印刷を開始することを可能とすることに寄与でき、また、すでに版胴に巻装されている版について、巻装版情報により、版の劣化を考慮して、すでに巻装されている版を用いて印刷を行うか、又はすでに巻装されている版を製版するときに用いた画像データによって製版をしなおして印刷を行うかを決めることを可能とすることに寄与でき、ユーザーにとってさらに使用感に優れた印刷情報処理方法を提供することができる。
【００２５】
本発明は、上記印刷情報装置又は上記印刷システム又は上記印刷装置又は上記印刷情報処理方法を用いる印刷方法にあるので、一覧に表示された画像データの選択による印刷が可能であるも、版胴に巻装されている版に対応した巻装版情報を表示することによって同じ製版を行なうことによる版の無駄を防止することが可能であり、省資源化及びランニングコストの抑制を図ることができるとともに、すでに版胴に巻装されている版を製版する際に用いた画像については、製版が行なわれていることを確認したうえで直ぐに印刷を開始することが可能であるから、ユーザーにとって使用感に優れた印刷方法を提供することができる。
【発明を実施するための最良の形態】
【００２６】
図１に、本発明を適用した印刷システムの構成ブロック図を示す。
印刷システム１００は、印刷用紙に画像を印刷する、印刷手段としてのデジタル孔版印刷装置である印刷装置１と、原稿から画像を読み取る、自動原稿送り機能付きの読み取り装置７とを備えている。
【００２７】
印刷システム１００はまた、読み取り装置７により読み取られた画像データを記憶しておく画像記憶部４１と、利用者とのインタフェースとなる操作パネル３０と、操作パネル３０の入出力制御を行う操作表示制御部４２と、読み取り装置７、画像記憶部４１、操作パネル３０及び操作表示制御部４２を制御する制御手段としてのコントローラ４３とを備えている。
【００２８】
図１又は図６に示すように、操作パネル３０は、各種入力キー３１〜３８と、液晶タッチパネル３９とを備えている。
コントローラ４３はメインコントローラ４４を備えている。
【００２９】
印刷装置１は、後述するように、図１に示した構成のうち、読み取り装置７及び操作パネル３０を備えている。図１に示した構成のうち他の構成は、パーソナルコンピュータ等の、印刷装置１に対する外部装置として備えられている。しかし、印刷装置１は、図１に示した構成をすべて備えていても良く、この場合には印刷装置１自身が印刷システム１００を構成することとなる。
【００３０】
図２に、画像記憶部４１及びコントローラ４３のブロック図を示す。
画像記憶部４１は、読み取り装置７で読み取った画像データを記憶する画像メモリ４７と、画像データを長期にわたり保存し蓄積するためのＨＤ（ハードディスク）５２とを有している。
【００３１】
コントローラ４３は、画像メモリ４７およびＨＤ５２に対するデータの読み書きや印刷装置１およびメインコントローラ４４への画像データ送出を制御するメモリコントローラ５３と、入力された画像データの流れやＨＤ５２または画像メモリ４７内の画像データの送出先をプログラムに従ってメモリコントローラ５３に指示する等の機能を果たすＣＰＵ５４とを有している。
【００３２】
コントローラ４３はまた、ＣＰＵ５４によって行なう制御のプログラムおよびデータを記憶しているＲＯＭ５５と、ＣＰＵ５４の作業用メモリであるＲＡＭ５６と、設定されたデータなどを記憶しておく不揮発性のＮＶ−ＲＡＭ５７と、外部の例えばクライアントＰＣなどから入力されるデータを受信するＩ／Ｏポート５８とを備えている。
【００３３】
コントローラ４３はまた、図示しないが、読み取り装置７から受け取った電気信号をデジタル画像データに変換するＡ／Ｄコンバータ、画像データに対するシェーディング補正、ＭＴＦ補正、γ補正などの画像処理を行う画像処理回路、画像データを指定された倍率で拡大／縮小する変倍回路、時計機能を有する時計回路等を備えている。
【００３４】
図３に示すように、印刷装置１は、印刷部２、製版部３、給紙部４、排版部５、排紙部６、読み取り装置７、再給紙手段９、切換部材１０等を有しているとともに、図６に示す操作パネル３０を有している。なお、印刷装置１は、特開２００３−２００６４５号に開示された両面印刷装置とほぼ同様の構成であるので、各部位の説明をできるだけ簡略化する。
【００３５】
印刷部２は、装置本体１ａのほぼ中央に配置されており、版胴１１と押圧手段としてのプレスローラ１２とを有している。版胴１１は装置本体１ａに着脱自在かつ回転自在に支持されており、図示しない版胴駆動手段によって回転駆動される。版胴１１はその外周面に開閉自在なクランパ１３を有しており、版胴１１の外周面には、両面印刷時には製版部３で製版された図４に示す分割製版済みマスタ１４が、片面印刷時には製版部３で製版された図５に示す製版済みマスタ１５がそれぞれ版として巻装される。
【００３６】
版胴１１の外周面近傍には、版胴１１の位置を検知する図示しないロータリエンコーダが設けられている。ロータリエンコーダによる検知信号は、コントローラ４３に入力され、コントローラ４３では、版胴１１の位相が検出されるとともに、版胴１１の回転数がＲＡＭ５６に記録される。本実施形態において、版胴１１には最大でＡ３サイズの用紙に印刷が可能な製版済みマスタ１５が巻装される。
【００３７】
図４に示すように、分割製版済みマスタ１４には表面画像に応じた第１製版画像１４Ａと裏面画像に応じた第２製版画像１４Ｂとが形成され、各製版画像１４Ａ，１４Ｂ間には未製版部分Ｓが形成される。分割製版済みマスタ１４は、版胴１１上において、第１製版画像１４Ａが図３に示す表面領域に、第２製版画像１４Ｂが同裏面領域に、未製版部分Ｓが同中間領域にそれぞれ対応するように巻装される。本実施形態では、第１製版画像１４Ａ及び第２製版画像１４Ｂとして、最大でＡ４横（用紙の短手方向を用紙搬送方向とする）サイズの用紙に印刷が可能なものがそれぞれ作成される。
【００３８】
図５に示すように、製版済みマスタ１５には片面印刷画像に応じた第３製版画像１５Ａが形成される。製版済みマスタ１５は、版胴１１上において、第３製版画像１５Ａが図３に示す表面領域と裏面領域と中間領域とを合わせた範囲内に対応するように巻装される。本実施形態では、第３製版画像１５Ａとして、最大でＡ３サイズの用紙に印刷可能なものが作成される。
【００３９】
プレスローラ１２は版胴１１の下方に配設されている。プレスローラ１２は、フッ素樹脂等の撥水性を有する弾性体からなる。プレスローラ１２は、図示しないアーム部材にその両端を回転自在に支持されており、図示しないアーム部材は図示しない揺動手段によって揺動自在に支持されている。プレスローラ１２はその周面が版胴１１より離間する図３に示す離間位置と、その周面が版胴１１上のマスタ１４又はマスタ１５に圧接する圧接位置とを選択的に占める。
【００４０】
図示しない揺動手段は、プレスローラ１２の版胴１１に対する押圧範囲を、図３に示す表面領域と中間領域と裏面領域とを全て合わせた第１の範囲、表面領域と同じ範囲である第２の範囲、中間領域と裏面領域とを合わせた第３の範囲の何れかに切換可能に構成されている。プレスローラ１２の周面近傍には、プレスローラ１２の周面に接触してクリーニングを行うクリーニングローラ１６が配設されている。クリーニングローラ１６は、図示しない駆動手段によって回転駆動される。
【００４１】
図３におけるプレスローラ１２の右方近傍には再給紙手段９から送られた表面印刷済みの用紙Ｐをプレスローラ１２の周面に沿わせて搬送するための再給紙案内部材１７が配設されている。図３におけるプレスローラ１２の左下方には上面に補助トレイ８を有する再給紙搬送ユニット１９が配設されており、これには再給紙位置決め部材２０が一体的に設けられている。図３におけるプレスローラ１２の下方には補助トレイ８上に貯留された用紙Ｐをプレスローラ１２の周面に接触させて送り出す再給紙レジストローラ１８が配設されている。
【００４２】
再給紙搬送ユニット１９の上方には、補助トレイ８の上面に沿って移動自在な用紙受け板２１が配設されている。これら再給紙案内部材１７、再給紙レジストローラ１８、再給紙位置決め部材２０、再給紙搬送ユニット１９及び用紙受け板２１によって再給紙手段９が構成されている。
【００４３】
図３における版胴１１とプレスローラ１２との接触位置の左方であって用紙Ｐの搬送経路上には、切換部材１０が配設されている。切換部材１０はその用紙搬送方向下流側端部を装置本体１ａに回動自在に支持されており、図示しない移動手段によって移動され、図３に実線で示す第１の位置と二点鎖線で示す第２の位置とを選択的に占める。版胴１１とプレスローラ１２との間を通過した用紙Ｐは、切換部材１０が第１の位置を占めているときに排紙部６へと案内され、切換部材１０が第２の位置を占めているときに補助トレイ８へと案内される。
【００４４】
製版部３は、図３における印刷部２の右上方に配設されている。製版部３は、マスタ２２をロール状に巻成したマスタロールを保持するマスタ保持部材２３、プラテンローラ２４、サーマルヘッド２５、マスタ切断手段２６、マスタストック部２７、テンションローラ対２８、反転ローラ対２９等を有する周知の構成であり、製版部３では両面印刷時において分割製版済みマスタ１４が、片面印刷時において製版済みマスタ１５がそれぞれ作成される。
【００４５】
給紙部４は、製版部３の下方に配設されている。給紙部４は、用紙Ｐを積載する給紙トレイ４ａ、給紙ローラ、分離ローラ、分離パッド、レジストローラ対等を有する周知の構成である。給紙トレイ４ａには、その上面に積載された用紙Ｐのサイズを検出する複数の用紙サイズ検出センサ４ｂが配設されている。
【００４６】
排版部５は、図３における印刷部２の左上方に配設されている。排版部５は、上排版部材、下排版部材、排版ボックス、圧縮板等を有する周知の構成であり、使用済みのマスタ１４、１５を版胴１１の外周面より剥離して排版ボックスの内部に廃棄する。
【００４７】
排紙部６は、排版部５の下方に配設されている。排紙部６は、剥離爪、排紙搬送ユニット、排紙トレイ、剥離ファン等を有する周知の構成であり、版胴１１の外周面上より用紙Ｐを剥離して排紙トレイ上に排出する。
【００４８】
読み取り装置７は、装置本体１ａの上部に配設されている。読み取り装置７は、それぞれ図示してはいないが、原稿を載置するコンタクトガラス、コンタクトガラスに対して接離自在に設けられた圧板、原稿画像を走査して読み取る反射ミラー及び蛍光灯、走査された画像を集束するレンズ、集束された画像を処理する画像センサ、自動原稿送り装置等を有している。
【００４９】
図６に示すように、操作パネル３０には、製版スタートキー３１、印刷スタートキー３２、ストップキー３３、テンキー３４、読取スタートキー３５、片面印刷を行う際に押下される片面印刷キー３６、両面印刷を行う際に押下される両面印刷キー３７、画像記憶部４１に記憶されている画像データの一覧（図９ないし図１１における符号６６を参照）を表示する際に押下される一覧表示キー３８、ＬＣＤを備えた表示手段としての液晶タッチパネル３９が配設されている。
【００５０】
テンキー３４は印刷部数などの入力に用いる。
読取スタートキー３５は、製版を伴わずに原稿画像の読み取り及び読み取った原稿画像の画像データの記憶を行うために用いる。
【００５１】
液晶タッチパネル３９には、図９ないし図１１を参照して後述するように、その表示画面において、所定の入力キー６１〜６５が表示される。
図６における液晶タッチパネル３９の画面は、初期画面を示している。
【００５２】
操作パネル３０において、各種入力キー３１〜３８または液晶タッチパネル３９に表示された所定の入力キー６１〜６５が操作されると、操作表示制御部４２を介してキー操作の発生がメインコントローラ４４に通知されるようになっている。
【００５３】
かかる印刷装置１は、コントローラ４３によってその動作全般が制御される。たとえば、ロータリエンコーダ及び操作パネル３０からの動作信号に基づいて、コントローラ４３は、印刷部２、製版部３、給紙部４、排版部５、排紙部６、画像読取部７、再給紙手段９、切換部材１０の作動をそれぞれ制御する。
【００５４】
上述の構成に基づき、以下に両面印刷キー３７を押下して両面印刷を行う場合における印刷装置１の動作を、図７の一部を参照しつつ説明する。図７は、読み取り装置７で原稿画像を読み取るとともに読み取った原稿画像の画像データで直ぐに製版を行う場合のフローを示している。
【００５５】
読み取り装置７に原稿がセットされ（図７（Ｓ１））、オペレータにより両面印刷キー３７が押下されると、両面印刷が設定されたことがメインコントローラ４４を介してＲＡＭ５６に記憶され両面印刷用の動作プログラムが呼び出される。
【００５６】
その後、オペレータにより製版スタートキー３１が押下されると（図７（Ｓ２））、読み取り装置７において原稿画像の読み取り動作が行われる（図７（Ｓ３））。その後、読み取り装置７で原稿画像の読取動作が正常に行われたことを条件として（図７（Ｓ４））、排版部５が作動して、版胴１１の外周面から使用済みのマスタ１４又はマスタ１５が剥離される排版動作が行われ、排版動作終了後、製版部３が作動することにより新たなマスタ１４が製版される製版動作が行われ、製版されたマスタ１４が版胴１１に巻装される巻装動作が行われることで、排版処理、製版処理及び巻装処理が行われる（図７（Ｓ８））。
なお、ステップＳ５ないしＳ７については後述する。
【００５７】
巻装動作が完了して印刷装置１が両面印刷待機状態となった後、オペレータによって印刷スタートキー３２が押下されると（図７（Ｓ９））、印刷動作が行われ、印刷処理が行われる（図７（Ｓ１０））。
【００５８】
すなわち、版胴１１が回転駆動されると共に給紙部４より用紙Ｐが１枚分離給送され、給送された用紙Ｐはレジストローラ対で一時停止された後、所定のタイミングで版胴１１とプレスローラ１２との間に向けて送られる。
【００５９】
版胴１１が所定の角度まで回転してその表面領域がプレスローラ１２と対応する所定位置を占めると、プレスローラ１２が圧接位置を占めることにより用紙Ｐが版胴１１上の分割製版済みマスタ１４の第１製版画像１４Ａに圧接され、その一方の面に表面画像を転写される。このときプレスローラ１２を揺動させる図示しない揺動手段は、プレスローラ１２の版胴１１に対する押圧範囲を第２の範囲に設定している。
【００６０】
表面印刷済み用紙となった用紙Ｐは、第２の位置を占めている切換部材１０の先端によって版胴１１の外周面より剥離され、再給紙搬送ユニット１９へと送られる。このとき、用紙Ｐはその先端を用紙受け板２１によって受け止められ、後端側から補助トレイ８上に載置される。補助トレイ８上の用紙Ｐは再給紙搬送ユニット１９によって図３の矢印方向に搬送され、その先端を再給紙位置決め部材２０に当接させた状態で一時停止される。
【００６１】
１枚目の用紙Ｐが補助トレイ８上に案内されている間も版胴１１は回転を継続しており、給紙部４からは１枚目の用紙Ｐと同じタイミングで２枚目の用紙Ｐが給送される。このとき図示しない揺動手段は、プレスローラ１２の版胴１１に対する押圧範囲を第１の範囲に設定している。給送された２枚目の用紙Ｐは１枚目の用紙Ｐと同様にプレスローラ１２によってその一方の面に表面画像を転写された後、第２の位置を占めている切換部材１０によって再給紙搬送ユニット１９へと送られる。
【００６２】
給紙部４から２枚目の用紙Ｐが給送された後、版胴１１の裏面領域がプレスローラ１２と対応する位置に到達するよりもやや早いタイミングで、再給紙レジストローラ１８が作動して補助トレイ８上に貯留されている１枚目の用紙Ｐがプレスローラ１２の周面に圧接される。プレスローラ１２の周面に圧接された１枚目の用紙Ｐは、版胴１１に圧接して従動回転しているプレスローラ１２の回転力によって版胴１１との当接部に向けて搬送され、マスタ１４の第２製版画像１４Ｂに圧接されることによりその他方の面に裏面画像を転写される。
【００６３】
裏面画像を転写されて両面印刷済み用紙となった１枚目の用紙Ｐは第１の位置を占めた切換部材１０によって排紙部６へと案内され、剥離ファンからの送風によってその先端部を浮き上げられた後、剥離爪の先端によって版胴１１の外周面より剥離される。剥離された印刷済みの用紙Ｐは排紙搬送ユニットへと送られた後、搬送されて排紙トレイ上に排出積載される。
【００６４】
以下、上述の動作が設定された印刷枚数を消化するまで繰り返され、最終の用紙Ｐが補助トレイ８上に案内された後に図示しない揺動手段がプレスローラ１２の版胴１１に対する押圧範囲を第３の範囲に設定し、設定された枚数の両面印刷動作が完了すると各部位の作動が停止する。
【００６５】
次に、片面印刷キー３８を押下して通常の片面印刷を行う場合における印刷装置１の動作を、図７の一部を参照しつつ説明する。
【００６６】
読み取り装置７に原稿がセットされ（図７（Ｓ１））、オペレータにより片面印刷キー３８が押下されると、片面印刷が設定されたことがメインコントローラ４４を介してＲＡＭ５６に記憶され片面印刷用の動作プログラムが呼び出される。
【００６７】
その後、オペレータにより製版スタートキー３１が押下されると（図７（Ｓ２））、読み取り装置７において原稿画像の読み取り動作が行われる（図７（Ｓ３））。その後、読み取り装置７で原稿画像の読み取りが正常に行われたことを条件として（図７（Ｓ４））、排版部５が作動して、版胴１１の外周面から使用済みのマスタ１４又はマスタ１５が剥離される排版動作が行われ、排版動作終了後、製版部３が作動することにより新たなマスタ１５が製版される製版動作が行われ、製版されたマスタ１５が版胴１１に巻装される巻装動作が行われることで、排版処理、製版処理及び巻装処理が行われる（図７（Ｓ８））。
なお、ステップＳ５ないしＳ７については後述する。
【００６８】
巻装動作が完了して印刷装置１が片面印刷待機状態となった後、オペレータによって印刷スタートキー３２が押下されると（図７（Ｓ９））、印刷動作が行われる（図７（Ｓ１０））。
【００６９】
すなわち、版胴１１が設定速度で回転駆動されると共に給紙部４より用紙Ｐが１枚分離給送され、給送された用紙Ｐはレジストローラ対で一時停止された後、所定のタイミングで版胴１１とプレスローラ１２との間に向けて送られる。
【００７０】
版胴１１が所定の角度まで回転してその表面領域がプレスローラ１２と対応する位置を占めると、プレスローラ１２が圧接位置を占めることにより用紙Ｐが版胴１１上の製版済みマスタ１５の第３製版画像１５Ａに圧接され、画像を転写される。このときプレスローラ１２を揺動させる図示しない揺動手段は、プレスローラ１２の版胴１１に対する押圧範囲を第１の範囲に設定している。
【００７１】
画像を転写されて印刷済み用紙となった用紙Ｐは第１の位置を占めた切換部材１０によって排紙部６へと案内され、剥離ファンからの送風によってその先端部を浮き上げられた後、剥離爪の先端によって版胴１１の外周面より剥離される。剥離された印刷済みの用紙Ｐは排紙搬送ユニットへと送られた後、搬送されて排紙トレイ上に排出積載される。
【００７２】
以下、上述の動作が設定された印刷枚数を消化するまで繰り返され、設定された枚数の片面印刷動作が完了すると各部位の作動が停止する。
【００７３】
このように、印刷装置１は、両面印刷、片面印刷の何れを問わず、製版開始指示を行なうのみで、読み取り装置７で原稿画像を読み取るとともに、読み取った原稿画像の画像データで直ぐに製版を行うことが可能となっている。
【００７４】
印刷装置１はまた、製版開始指示を伴わずに、画像記憶部４１に記憶されている画像データに基づいて製版を行なうことが可能である。画像記憶部４１に記憶する画像データは、読み取り装置７における読み取りによって作成したものでも良いし、読み取り装置７を介しないで、印刷システム１００外の他の外部入力装置から入力されたものであっても良い。
【００７５】
図８を参照して、読み取り装置７によって原稿を読み取り、画像データを画像記憶部４１に記憶する動作を説明する。
【００７６】
読み取り装置７に原稿がセットされ（図８（Ｓ１））、オペレータにより読み取りスタートキー３５が押下されると（図８（Ｓ２））、読み取りスタートキー３５の押下がコントローラ４３へ通知され、コントローラ４３は以降の原稿読み取り動作において読み取られる画像データがＨＤ５２に記憶され保存・蓄積されるものであることを記憶しておく。
【００７７】
メインコントローラ４４は、読み取りスタートキー３５の押下通知を受けると、読み取り装置７に対して原稿読み取りを命令する（図８（Ｓ３））とともに、読み取られた画像データを画像記憶部４１側へ送出することも併せて命令する。メインコントローラ４４は画像記憶部４１側に対して画像データの蓄積開始を指示し、以後、読み取り装置７から受け取った画像データをＨＤ５２に記憶させる旨を通知する。
【００７８】
図８に示したステップＳ３において、原稿の読み取りは１枚ずつ行われ、読み取られた原稿画像の電気信号はＡ／Ｄコンバータによりデジタル信号に変換され、一連の画像処理を施され１枚の原稿に対応した画像データが作成される。
【００７９】
メインコントローラ４４は、読み取り装置７による読み取り動作及びその後の電気信号の処理が正常に行なわれたか否か、すなわち読み取りが成功したか否かを判断し（図８（Ｓ４））、成功したと判断した場合には、画像データに対して識別符号としてのＩＤを割り振って発行する（図８（Ｓ５））。ここに、メインコントローラ４４は、ＩＤ生成手段として機能する。
【００８０】
ＩＤの発行後、画像データはメモリコントローラ５３内で圧縮され、ＩＤとともにＨＤ５２に格納され、記憶される（図８（Ｓ６））。ここに、ＨＤ５２はＩＤ記憶手段として機能する。メインコントローラ４４は、画像データ及び画像データのＩＤのＨＤ５２内の記憶場所をＮＶ−ＲＡＭ５７に記憶する。
【００８１】
記憶が行なわれると、次の原稿が読み取り装置７にあるか否かを判定し（図８（Ｓ７））、あるときには図８におけるステップＳ３に戻り、次の原稿について同ステップＳ３から繰り返す。読み取り装置７に原稿がなくなると原稿読み取り終了する。
【００８２】
また、図８におけるステップＳ４において読み取りが成功しなかったと判断した場合には読み取り動作を終了する。
【００８３】
図８におけるステップＳ１、Ｓ３、Ｓ４、Ｓ５、Ｓ６は、図７におけるステップＳ１、Ｓ３、Ｓ４、Ｓ５、Ｓ６に対応し、互いに同様の動作を行う。
【００８４】
図７におけるステップＳ７においては、製版用の画像データが、メモリコントローラ５３により、画像メモリ４７に展開され、印刷装置１に送出される。画像メモリ４７に展開される画像データは、図７におけるステップＳ６においてＨＤ５２に記憶されたものであっても良いし、読み取り装置７側からメモリコントローラ５３に送信されてきたそのものであっても良い。後者の場合、図７におけるステップＳ７は、同ステップＳ５、Ｓ６の前または同時に行なっても良い。
【００８５】
また、図７における動作においても、図８におけるステップＳ７と同様の動作を行うようになっている。これにより、片面印刷時に読み取り装置７に原稿が２枚以上セットされている場合、両面印刷時に読み取り装置７に原稿が３枚以上セットされている場合に、すべての原稿を読み取ることができる。片面印刷時における２枚目以降の原稿、両面印刷時における３枚目以降の原稿にも、上述したのと同様にＩＤを発行し、対応する画像データとともに記憶するようになっている。
【００８６】
なお、読み取り装置７を介しないで、印刷システム１００外の他の外部入力装置から画像データを入力する場合にも、入力された画像データを読み込む際に、上述したのと同様にして、ＩＤを発行し、画像データとともに記憶するようになっている。
【００８７】
図７におけるステップＳ７以降の処理は、図８における動作においては行われないが、これは、図７におけるステップＳ２の製版開始指示を行なったか、図８におけるステップＳ２の読取開始指示を行なったかの違いによるものである。図７におけるステップＳ２の製版開始指示は、読取開始指示を含むものであり、図８におけるステップＳ２の読取開始指示を行った場合における動作に加えて、図７におけるステップＳ７以降の処理を行うものである。
【００８８】
印刷システム１００においては、これらの読取開始指示を条件とせず、ＨＤ５２に記憶され蓄積されている画像データにより製版を行ない、印刷することが可能となっている。
ここで、蓄積されている画像データにより印刷を行う場合には、すでに述べたように、新たに製版しようとする画像データと、すでに版胴に巻装されているマスタの画像データが同じものである場合に、すでに巻装されているマスタを排版して新たに製版を行なうと、マスタの無駄となる場合がある。
【００８９】
そこで、印刷システム１００においては、かかるマスタの無駄を防止するため、上述の読取開始指示を条件とせず、ＨＤ５２に記憶され蓄積されている画像データにより製版を行なおうとする場合には、すでに版胴１１に巻装されているマスタ１４、１５を製版するのに用いた画像データがどれであるかが分かるように構成されている。
【００９０】
そのために、印刷システム１００においては、ＨＤ５２が、印刷のために版胴１１に巻装されるマスタ１４、１５を製版するのに用いられる画像データを蓄積する蓄積手段として機能し、メインコントローラ４４が、版胴１１に巻装されているマスタ１４、１５に関連する巻装版情報を生成する版情報生成手段として機能し、液晶タッチパネル３９が、ＨＤ５２に蓄積されている画像データの一覧（図９ないし図１１における符号６６を参照）を表示する表示手段として機能している。
【００９１】
また、印刷システム１００においては、ＨＤ５２が、メインコントローラ４４によって生成された巻装版情報を記憶するとともに、液晶タッチパネル３９がＨＤ５２に蓄積している画像データの一覧６６を表示するときに、この一覧６６と併せて、記憶した巻装版情報が液晶タッチパネル３９に表示される版情報記憶手段として機能する。
【００９２】
印刷システム１００は、蓄積手段及び版情報記憶手段として機能するＨＤ５２と、版情報生成手段として機能するメインコントローラ４４と、表示手段として機能する液晶タッチパネル３９とを有する印刷情報装置を備えている。この印刷情報装置により、画像データの選択による印刷が可能とされつつ、同じ製版を行なうことによるマスタ２２、１４、１５の無駄の防止が可能となっている。
【００９３】
ＨＤ５２は、巻装版情報に関しては、版胴１１に巻装されているマスタ１４又はマスタ１５に関連する巻装版情報のみを記憶するものであり、排版されたマスタ１４、１５に関連する巻装版情報は削除される。
【００９４】
巻装版情報は、単に、図９、図１０に示すような、画像データの一覧６６において表示される、現在巻装されているマスタ１４又はマスタ１５を製版するのに用いられたことを示す旨の文章またはマーク等であっても良いが、図１１に示すように、その巻装版情報が関連するマスタ１４又はマスタ１５を用いて行なわれた印刷枚数、その巻装版情報が関連するマスタ１４又はマスタ１５の耐刷枚数、その巻装版情報が関連するマスタ１４又はマスタ１５の製版終了時刻、その巻装版情報が関連するマスタ１４又はマスタ１５を用いて行われた至近の印刷時刻等を含むものであっても良い。
【００９５】
印刷枚数は、メインコントローラ４４が、ロータリエンコーダの検知に基づきＲＡＭ５６に記憶されている版胴１１の回転数に基づいて算出する。ここに、メインコントローラ４４は印刷枚数算出手段として機能する。
【００９６】
耐刷枚数は、マスタ２２の基本情報としてＲＡＭ５６に記憶されているものであり、メインコントローラ４４は、ＲＡＭ５６に記憶された耐刷枚数から印刷枚数を減算することで、巻装版情報としての耐刷枚数を算出する。ここに、メインコントローラ４４は耐刷枚数算出手段として機能する。
【００９７】
ここで、本形態では、巻装版情報としての耐刷枚数は、あと何枚の印刷に耐え得るかという、印刷可能枚数を意味するが、耐刷枚数は単に、マスタ２２の基本特性として何枚の印刷に耐え得るかを示すものであって良く、この場合には表示される耐刷枚数は不変であり、オペレータは、表示された印刷枚数と耐刷枚数とを見比べながら印刷可能枚数を判断し印刷を行うこととなる。
【００９８】
印刷枚数、耐刷枚数は、版胴１１に巻装されているマスタ１４又はマスタ１５が後どれだけの印刷に耐えられるかを示す目安として主に使用されるものであるため、耐刷枚数が印刷可能枚数を意味する場合には、印刷枚数を表示することなく耐刷枚数のみを表示しても良く、また、耐刷枚数がマスタ２２の基本特性としての耐刷枚数を意味する場合には、印刷枚数とともに表示を行うことが望ましい。
【００９９】
製版終了時刻は、メインコントローラ４４が、コントローラ４３に内蔵の時計回路の時刻を読み取ることによって決定される。ここに、メインコントローラ４４は、製版終了時計測手段として機能する。
【０１００】
製版終了時刻は、マスタ１４又はマスタ１５の製版完了時、たとえばサーマルヘッド２５の駆動終了時刻でも良いし、製版されたマスタ１４又はマスタ１５の版胴１１に対する巻装完了時刻でも良い。
【０１０１】
製版終了時刻は、版胴１１に巻装されているマスタ１４又はマスタ１５が製版されてからどのくらい経過しているかを見ることで、マスタ１４又はマスタ１５の劣化の程度を判断する目安として主に使用されるものであるため、時分秒の単位は必要に応じて表示されるものであって、省略可能である。
【０１０２】
至近印刷時刻は、版胴１１に巻装されているマスタ１４又はマスタ１５を用いた最後の印刷時刻を示すものである。製版終了時刻は、たとえばプレスローラ１２の最後の駆動終了時刻等とすることができる。
【０１０３】
至近印刷時刻は、メインコントローラ４４が、コントローラ４３に内蔵の時計回路の時刻を読み取ることによって決定される。ここに、メインコントローラ４４は、至近印刷時計測手段として機能する。
【０１０４】
至近印刷時刻は、版胴１１に巻装されているマスタ１４又はマスタ１５が最後の印刷に使用されてからどのくらい経過しているかを見ることで、マスタ１４又はマスタ１５の劣化の程度を判断する目安として主に使用されるものであるため、時分秒の単位は必要に応じて表示されるものであって、省略可能である。
【０１０５】
印刷枚数、耐刷枚数、製版終了時刻、至近印刷時刻は、必要に応じて計測され表示されるものであり、必ずしもすべてを表示する必要はなく、表示しないものについては計測することを省略できる。
【０１０６】
印刷枚数、耐刷枚数、製版終了時刻、至近印刷時刻の少なくとも１つを表示するときには、これを、図９、図１０に示した、現在巻装されているマスタ１４又はマスタ１５を製版するのに用いられたことを示す旨の文章またはマーク等に代えて用いることができる。
【０１０７】
印刷枚数、耐刷枚数、製版終了時刻、至近印刷時刻は、計算、計測等された場合には、ＨＤ５２に記憶される。ここに、ＨＤ５２は、印刷枚数記憶手段、耐刷枚数記憶手段、製版終了時刻記憶手段、至近印刷時刻記憶手段として機能する。
【０１０８】
巻装版情報は、メインコントローラ４４によって、版胴１１に巻装されているマスタ１４又はマスタ１５を製版するのに用いられた画像データのＩＤと関連付けられてＨＤ５２に記憶される。
【０１０９】
メインコントローラ４４は、図１２に示すように、版胴１１に巻装されているマスタ１４又はマスタ１５を製版するのに用いられた画像データのＩＤと巻装版情報とを関連付けた画像データ管理テーブルを作成し、作成した画像データ管理テーブルをＮＶ−ＲＡＭ５７に保存する。ここに、メインコントローラ４４は、画像データ管理テーブル作成手段として機能し、ＮＶ−ＲＡＭ５７は、画像データ管理テーブル記憶手段として機能する。
【０１１０】
メインコントローラ４４は、液晶タッチパネル３９に画像データの一覧６６を表示するとき、ＮＶ−ＲＡＭ５７に記憶された画像データ管理テーブルを読み出し、これにしたがって一覧用表示情報を作成する。ここに、メインコントローラ４４は、一覧用表示情報作成手段として機能する。
【０１１１】
作成された一覧用表示情報にしたがって、巻装版情報が、版胴１１に巻装されているマスタ１４、１５に対応させて、液晶タッチパネル３９に表示される。
【０１１２】
図１３ないし図１６に沿って、印刷システム１００において、読取開始指示を条件とすることなくＨＤ５２に記憶され蓄積されている画像データにより製版、印刷を行うときの動作を説明する。
【０１１３】
オペレータが操作パネル３０の一覧表示キー３８を押下して一覧表示を指示すると（図１３（Ｓ１））、操作表示制御部４２がコントローラ４３に対して一覧表示キー３８が押下されたことを通知し、メインコントローラ２１が一覧表示キー３８が押下された通知を受け取ると、一覧表示処理が開始される（図１３（Ｓ２）、図１４）。
【０１１４】
一覧表示処理では、メインコントローラ４４からの指示により、ＣＰＵ５４が、ＮＶ−ＲＡＭ５７から、図１２に示した画像データ管理テーブルを読み出す（図１４（Ｓ１））とともに、ＨＤ５２内の画像データとともに記憶されている画像データのＩＤを読み出し、メインコントローラ４４に渡す。
【０１１５】
メインコントローラ４４は、画像データ管理テーブルにおいて巻装版情報が記憶されている画像データのＩＤと同一ＩＤの画像データがあるかどうかを照合し（図１４（Ｓ２））、ある場合には、画像データ管理テーブルに従って、図１１又は図９若しくは図１０に示した、画像データの一覧６６とともに、巻装版情報を、ＨＤ５２から読み出して、これらを液晶タッチパネル３９に表示するための、一覧用表示情報を作成する（図１４（Ｓ３））。かかる巻装版情報は、版胴１１に巻装されているマスタ１４又はマスタ１５を製版するのに用いられた、一覧６６に含まれる画像データに対応して表示される。
【０１１６】
一覧用表示情報には、版胴１１に巻装されているマスタ１４又はマスタ１５を製版するのに用いた画像データが含まれている。そのため、一覧用表示情報を作成する際には、メインコントローラ４４の指示によって、ＣＰＵ５４がメモリコントローラ５３を介して対応する画像データをＨＤ５２から読み出し、画像メモリ４７に展開する。このとき、メモリコントローラ５３は、圧縮されてＨＤ５２に記憶されていた画像データを元に戻す。
【０１１７】
ＣＰＵ５４は、メインコントローラ４４が作成した一覧用表示情報を受け取り、メモリコントローラ５３を介して画像メモリ４７上に展開する。展開された一覧用表示情報は、操作表示制御部４２によって、メモリコントローラ５３を介して印刷装置１に送出され、液晶タッチパネル３９において、図６に示した初期画面に代えて、図１１又は図９若しくは図１０に示したように、画像データの一覧６６とともに、一覧６６に含まれる、版胴１１に巻装されているマスタ１４又はマスタ１５を製版するのに用いられた画像データに対応して、巻装版情報が表示される（図１４（Ｓ４））。
【０１１８】
図９ないし図１１に示した例では、ＮＯ．４の画像データに巻装版情報が表示されている。版胴１１に両面印刷用のマスタ１４が巻装されているときには、このマスタ１４を製版するのに用いた、表面用、裏面用の異なる２つの画像データ、あるいは、表裏面共通の１つの画像データに対応して巻装版情報が表示される。版胴１１に片面印刷用のマスタ１５が巻装されているときには、このマスタ１５を製版するのに用いた、表面用の１つの画像データに対応して巻装版情報が表示される。
【０１１９】
図９ないし図１１に示すように、画像データの一覧６６及びこれに伴って表示される巻装版情報を含む選択画面を表示した液晶タッチパネル３９においては、画像データの一覧６６及びこれに伴って表示される巻装版情報とともに、前へキー６１、次へキー６２、選択キー６３、画像表示キー６４、戻るキー６５が表示されている。
【０１２０】
選択画面を表示した液晶タッチパネル３９においては、オペレータが、製版、印刷を行おうとする画像データの列、具体的には「ＮＯ．」の欄、「ファイル名」の欄、巻装版情報の欄の何れかに触れると、その列全体の色が反転表示され、あるいは着色表示され、仮選択されたことを示す。
【０１２１】
前へキー６１、次へキー６２は、画像データの一覧６６が液晶タッチパネル３９に一度に表示しきれない場合にも、画像データのすべてを見ることができるように、これに触れることにより、画像データの一覧６６をスクロールさせるものである。一覧６６をスクロールさせると、対応する巻装版情報も画像データの一覧６６のスクロールに伴ってスクロールする。
【０１２２】
選択キー６３は、これに触れると、仮選択された画像データの選択が確定し、製版スタートキー３１の押下によって製版が開始される状態となる。これに加え又はこれに代えて、両面印刷が指定されているときには、選択した画像データが表面用であるか、裏面用であるかを表示するとともに、表面用または裏面用の何れかの画像データしか選択されていないときには、他方の面用の画像データを選択するよう促す旨の表示を行うようにしても良い。またこれに加え、どのような画像が印刷されるかを表示するようにしても良い。
【０１２３】
画像表示キー６４は、仮選択の状態でこれに触れると、選択した画像データがどのような画像であるかを表示する。画像表示キー６４は、仮選択が行なわれていない状態でこれに触れると、版胴１１に巻装されているマスタ１４又はマスタ１５を用いて印刷するとどのような印刷画像が得られるかを表示する。かかるマスタ１４又はマスタ１５を製版するために用いられた画像データはすでに画像メモリ４７に展開されているため、表示は速やかに行われる。画像表示キー６４の機能は、これに加え、版胴１１に巻装されているマスタ１４又はマスタ１５を製版するのに用いられた画像データがどれであるかを「ＮＯ．」や「ファイル名」等で示すようにしても良い。両面印刷用のマスタ１４が巻装されているときには、片面ずつ切り換えて、あるいは両面を同時に表示するようにすることができる。
【０１２４】
戻るキー６５は、これに触れると、液晶タッチパネル３９が図６に示した初期画面に戻るとともに、メモリコントローラ５３により、画像メモリ４７に展開した一覧用表示情報がクリアされるようになっている。
【０１２５】
このような液晶タッチパネル３９により、オペレータは、必要に応じて前へキー６１、次へキー６２液晶タッチパネル３９に表示された一覧６６及びこれに伴って表示される巻装版情報を参照して、既に版胴１１に巻装されたマスタ１４又は１５を用いて印刷を行うか否か、また、既に版胴１１に巻装されたマスタ１４又は１５を用いて印刷を行わない場合には、どの画像データを用いて製版、印刷を行うかを決め、指定する。
【０１２６】
ここでは、既に版胴１１に巻装されたマスタ１４又は１５を用いて印刷を行わず、新たに画像データを指定して製版、印刷を行うものとする。なお、既に版胴１１に巻装されたマスタ１４又は１５を用いて印刷を行う場合には、次に述べる図１３におけるステップＳ３ないしステップＳ７および同ステップＳ７の詳細を示す図１５に示したフローをスキップし、同ステップＳ８以下を行なう。
【０１２７】
オペレータが液晶タッチパネル３９を操作して新たな画像データを指定し（図１３（Ｓ３））、製版スタートキー３１を押下して製版開始指示を行なうと（図１３（Ｓ４））、一覧用表示情報を作成する際に画像メモリ４７に展開されていた、版胴１１に巻装されているマスタ１４又はマスタ１５を製版するのに用いた画像データは、メモリコントローラ５３によって画像メモリ４７から消去される。
【０１２８】
なお、図１３におけるステップＳ３の画像データの指定に先立って、片面印刷キー３６の押下又は両面印刷キー３７の押下片面か両面の指定が行なわれ、両面印刷キー３７を押下したときには、図１３におけるステップＳ３の画像データの指定に際しては、表面印刷用及び裏面印刷用それぞれの画像データの指定を行う。
【０１２９】
次に、メインコントローラ４４の指示によって、ＣＰＵ５４がメモリコントローラ５３を介して対応する画像データをＨＤ５２から読み出し（図１３（Ｓ５））、画像メモリ４７に展開する（図１３（Ｓ６））。このとき、メモリコントローラ５３は、圧縮されてＨＤ５２に記憶されていた画像データを元に戻す。
【０１３０】
画像メモリ４７に展開された画像データは、メモリコントローラ５３により、印刷装置１に送出され、印刷装置１では、排版、製版及び巻装処理が開始される（図１３（Ｓ７）、図１５）。
【０１３１】
この処理では、まず、上述した排版動作が行われる（図１５（Ｓ１））。メインコントローラ４４によって排版が成功したかが判断され（図１５（Ｓ２））、成功した場合には、メインコントローラ４４からの指示により、ＣＰＵ５４が、ＮＶ−ＲＡＭ５７から、図１２に示した画像データ管理テーブルを読み出すとともに、ＨＤ５２に記憶されている画像データのＩＤを読み出し、メインコントローラ４４に渡す。
【０１３２】
メインコントローラ４４は、画像データ管理テーブルにおいて巻装版情報が記憶されている画像データのＩＤと同一ＩＤを参照して、ＨＤ５２に記憶されている巻装版情報をＨＤ５２から消去して削除し、画像データ管理テーブルから、巻装版情報が記憶されている画像データのＩＤを消去し削除して画像データ管理テーブルを更新し、更新した画像データ管理テーブルをＮＶ−ＲＡＭ５７に記憶する（図１５（Ｓ３））。ここに、メインコントローラ４４は、巻装版情報削除手段、ＩＤ削除手段、画像データ管理テーブル更新手段として機能する。
【０１３３】
メインコントローラ４４は、オペレータが指定した画像データのＩＤをＲＡＭ５６に記憶させることで、製版対象の画像データのＩＤを仮記録したうえで（図１５（Ｓ４））、上述した製版動作及び製版されたマスタ１４又はマスタ１５の版胴１１に対する巻装動作が実行させる（図１５（Ｓ５））。
【０１３４】
これらの動作の実行後、メインコントローラ４４は、製版動作及び巻装動作が成功したか否かを判断し（図１５（Ｓ６））、成功した場合には、仮記録したＩＤを、新たな巻装版情報に関連付けて記憶するために、オペレータが指定した画像データのＩＤとしてＨＤ５２に記憶する（図１５（Ｓ７））。
【０１３５】
続いて、メインコントローラ５７は、新たに製版したマスタ１４又はマスタ１５の巻装版情報を生成し（図１５（Ｓ８））、これをＨＤ５２に記憶するとともに、画像データ管理テーブルを更新した上でこれをＮＶ−ＲＡＭ５７に記憶する（図１５（Ｓ９））。ここに、メインコントローラ４４は、画像データ管理テーブル更新手段として機能する。
【０１３６】
新たに製版したマスタ１４又はマスタ１５の巻装版情報としては、印刷枚数、耐刷枚数、製版終了時刻、至近印刷時刻が挙げられる。至近印刷時刻に関しては、未だに印刷が行われていない旨の情報が生成される。
【０１３７】
一方、図１５におけるステップＳ６において、製版及び印刷動作が成功していないと判断した場合には、ＲＡＭ５６に仮記録したＩＤを、ＲＡＭ５６から削除する（図１５（Ｓ１０））。
これらの処理が終了すると、印刷待機状態となる。
【０１３８】
オペレータが印刷スタートキー３２を押下して印刷開始指示を行なうと（図１３（Ｓ８））、上述のようにして両面印刷又は片面印刷のための印刷処理が行われる（図１３（Ｓ９）、図１６）。この印刷処理においては、上述のようにして印刷装置１において行われる両面印刷又は片面印刷のための印刷動作の他、メインコントローラ４４において更新すべき巻装版情報があるか否かが判断される（図１６（Ｓ１））。更新すべき巻装版情報としては、印刷枚数、耐刷枚数、至近印刷時刻等が挙げられる。
【０１３９】
更新すべき巻装版情報があると判断した場合には、メインコントローラ４４は、更新すべき巻装版情報について新たに巻装版情報を生成し、これをＨＤ５２に記憶して巻装版情報を更新するとともに、画像データ管理テーブルを更新した上でこれをＮＶ−ＲＡＭ５７に記憶する（図１６（Ｓ２））。なお、ＮＶ−ＲＡＭ５７は、ＩＤと巻装版情報を関連付けるものであるので、必ずしも更新する必要はない。
以上の処理が終了すると印刷処理が終了し、画像データの指定から、製版、印刷までの処理がすべて終了する。
【０１４０】
なお、図１３におけるステップＳ６、Ｓ７、Ｓ８、Ｓ９は、図７におけるステップＳ７、Ｓ８、Ｓ９、Ｓ１０にそれぞれ対応し、互いに同様の動作を行う。
【０１４１】
以上本発明の好ましい実施の形態について説明したが、本発明はかかる特定の実施形態に限定されるものではなく、上述の説明で特に限定していない限り、特許請求の範囲に記載された本発明の趣旨の範囲内において、種々の変形・変更が可能である。
【０１４２】
たとえば、印刷装置は、上述の形態では読み取り装置及び操作パネルを備えているが、これらは印刷装置でなく独立した装置であっても良い。操作パネルは印刷装置に接続されたパーソナルコンピュータ等の外部装置に接続されるものあるいはかかる外部装置の操作装置に同様の機能を持たせたものであっても良いし、読み取り装置は同様の外部装置に接続されたスキャナ等の装置であっても良い。
【０１４３】
また、印刷装置は、両面印刷が可能な印刷装置でなくても良い。印刷装置は、両面印刷、片面印刷を問わず、より多くの画像データを用いて製版、印刷を行うものであっても良い。印刷装置は、版胴を複数備えているものであっても良く、カラー印刷を行うものであっても良い。
【０１４４】
本発明の実施の形態に記載された効果は、本発明から生じる最も好適な効果を列挙したに過ぎず、本発明による効果は、本発明の実施の形態に記載されたものに限定されるものではない。
【図面の簡単な説明】
【０１４５】
【図１】本発明を適用した印刷情報装置及びこれを有する印刷システムの概略を示すブロック図である。
【図２】図１に示した印刷システムであってこれに備えられた画像記憶部及びコントローラの詳細を示すブロック図である。
【図３】図１に示した印刷システムに備えられた印刷装置の概略を示す正面図である。
【図４】図３に示した印刷装置に備えられた版胴に巻装される両面印刷用に製版された版の一例を示す平面図である。
【図５】図３に示した印刷装置に備えられた版胴に巻装される片面印刷用に製版された版の一例を示す平面図である。
【図６】図１に示した印刷システムに備えられた操作パネルの詳細を模式的に示した平面図である。
【図７】図１に示した印刷システムを用い、原稿を読み取り製版を行い印刷を行うときのフローチャートである。
【図８】図１に示した印刷システムを用い、原稿を読み取るときのフローチャートである。
【図９】図６に示した操作パネルに備えられた表示手段において製版に用いる画像データの一覧を表示した場合の一例を示す正面図である。
【図１０】図６に示した操作パネルに備えられた表示手段において製版に用いる画像データの一覧を表示した場合の他の一例を示す正面図である。
【図１１】図６に示した操作パネルに備えられた表示手段において製版に用いる画像データの一覧を表示した場合のさらに他の一例を示す正面図である。
【図１２】図１に示した印刷システムにおいて図１１に示した画像データの一覧を表示するために作成されるテーブルの一例を示す模式図である。
【図１３】図１に示した印刷システムを用い、表示手段に表示した画像データの一覧から画像データを選択して製版を行い印刷を行うときのフローチャートである。
【図１４】図１３に示した一覧表示処理の詳細を示すフローチャートである。
【図１５】図１３に示した排版、製版及び巻装処理の詳細を示すフローチャートである。
【図１６】図１３に示した印刷処理の詳細を示すフローチャートである。
【符号の説明】
【０１４６】
１    印刷手段、印刷装置
１１    版胴
１４    版、版胴に巻装されている版
１５    版、版胴に巻装されている版
２２    版、版胴に巻装される版
３９    表示手段
３９、４４、５２    印刷情報装置
４４    版情報生成手段
５２    蓄積手段、版情報記憶手段
１００    印刷システム
【図１】
2008149558.tif 000003
【図２】
2008149558.tif 000004
【図３】
2008149558.tif 000005
【図４】
2008149558.tif 000006
【図５】
2008149558.tif 000007
【図６】
2008149558.tif 000008
【図７】
2008149558.tif 000009
【図８】
2008149558.tif 000010
【図９】
2008149558.tif 000011
【図１０】
2008149558.tif 000012
【図１１】
2008149558.tif 000013
【図１２】
2008149558.tif 000014
【図１３】
2008149558.tif 000015
【図１４】
2008149558.tif 000016
【図１５】
2008149558.tif 000017
【図１６】
2008149558.tif 000018